(57)【特許請求の範囲】
【請求項１】
パネル面に配置された光入力コネクタから入力した光信号を分岐し、パネル面に配置された複数の光出力コネクタから出力するプラグインユニットと、
複数の前記プラグインユニットを複数のスロットにそれぞれ収容するキャビネットと、
前記キャビネット内の複数の前記プラグインユニットの動作状態監視及び制御をする監視制御部と
を備えた光信号分配装置において、
前記プラグインユニットは、
前記光入力コネクタに接続した前記光ファイバケーブルのもう一方の接続端の接続先である接続先プラグインユニットが実装されているスロット位置を表す接続先スロット識別情報（ＩＤ）と、該接続先プラグインユニットを収容するキャビネットを表す接続先装置ＩＤを、手動で設定及び表示するスイッチ又は外部端末により設定及び表示するためのインターフェースと、
前記スイッチ又は前記インターフェースと接続され、前記監視制御部と電気信号を送受する監視制御インタフェース（ＩＦ）と
を備え、
前記プラグインユニットがスロットに実装された時又はその後に、前記監視制御ＩＦは、予め定められた前記プラグインユニットの種類と、予め定められた実装されているスロットＩＤを、前記監視制御部へ伝達し、
接続元のプラグインユニットの前記監視制御ＩＦは、前記スイッチ又は前記インタフェースにより電気信号情報に変換された前記接続先スロットＩＤ及び前記接続先装置ＩＤを、前記監視制御部へ伝達し、
前記監視制御盤は、前記監視制御ＩＦから伝達された伝達された情報を記憶する
光信号分配装置。
【請求項２】
前記監視制御部は、
キャビネットを表す装置識別情報（ＩＤ）と、スロットＩＤと、プラグインユニットの種類を対応して記憶する管理テーブルと、
光ファイバーケーブルの接続毎に、接続元の装置ＩＤとスロットＩＤと種類、及び、接続先の装置ＩＤとスロットＩＤと種類、を含む接続情報を記憶する接続情報テーブルと、
を備え、
前記監視制御部は、該監視制御部に予め設定されたキャビネットを表す装置ＩＤと、前記監視制御ＩＦから伝達された前記スロットＩＤと前記種類を対応して、前記管理テーブルに記憶し、
前記監視制御部は、前記監視制御ＩＦから伝達された情報と前記管理テーブルに記憶された情報に基づき、前記接続元のプラグインユニットについて接続元種類及び接続元装置ＩＤ及び接続スロットＩＤと、接続先のプラグインユニットについて接続先種類及び接続先装置ＩＤ及び接続先スロットＩＤを、接続された光ファイバーケーブルの接続番号に対応して前記接続情報テーブルに記憶する
請求項１に記載の光信号分配装置。
【請求項３】
パネル面に配置された０系及び１系の光入力コネクタからそれぞれ入力した０系及び１系の光信号からひとつの光信号を選択し、選択された光信号を分岐し、パネル面に配置された複数の光出力コネクタから出力するプラグインユニットと、
複数の前記プラグインユニットを複数のスロットにそれぞれ収容するキャビネットと、
前記キャビネット内の複数の前記プラグインユニットの動作状態監視及び制御をする監視制御部と
を備えた光信号分配装置において、
前記プラグインユニットは、
前記０系の光入力コネクタに接続した０系の前記光ファイバケーブルのもう一方の接続端の接続先である０系の接続先プラグインユニットが実装されているスロット位置を表す０系接続先スロット識別情報（ＩＤ）と、該接続先プラグインユニットを収容するキャビネットを表す０系接続先装置ＩＤを、手動で設定及び表示する０系のスイッチ又は外部端末により設定及び表示するための０系のインターフェースと、
前記１系の光入力コネクタに接続した１系の前記光ファイバケーブルのもう一方の接続端の接続先である１系の接続先プラグインユニットが実装されているスロット位置を表す１系の接続先スロットＩＤと、該接続先プラグインユニットを収容するキャビネットを表す１系の接続先装置ＩＤを、手動で設定及び表示する１系のスイッチ又は外部端末により設定及び表示するための１系のインターフェースと、
前記０系及び１系のスイッチ又は前記０系及び１系のインターフェースと接続され、前記監視制御部と電気信号を送受する監視制御インタフェース（ＩＦ）と
を備え、
前記プラグインユニットがスロットに実装された時又はその後に、前記監視制御ＩＦは、予め定められた前記プラグインユニットの種類と、予め定められた実装されているスロットＩＤを、前記監視制御部へ伝達し、
接続元のプラグインユニットの前記監視制御ＩＦは、前記０系及び１系のスイッチ又は前記０系及び１系のインタフェースにより電気信号情報に変換された０系及び１系の前記接続先スロットＩＤ及び前記接続先装置ＩＤを、前記監視制御部へ伝達し、
前記監視制御盤は、前記監視制御ＩＦから伝達された伝達された情報を記憶する
光信号分配装置。
【請求項４】
前記監視制御部は、
キャビネットを表す装置識別情報（ＩＤ）と、スロットＩＤと、プラグインユニットの種類を対応して記憶する管理テーブルと、
光ファイバーケーブルの接続毎に、接続元の装置ＩＤとスロットＩＤと種類、及び、接続先の装置ＩＤとスロットＩＤと種類、を含む接続情報を記憶する接続情報テーブルと、
を備え、
前記監視制御部は、該監視制御部に予め設定されたキャビネットを表す装置ＩＤと、前記監視制御ＩＦから伝達された前記スロットＩＤと前記種類を対応して、前記管理テーブルに記憶し、
前記監視制御部は、前記監視制御ＩＦから伝達された情報と前記管理テーブルに記憶された情報に基づき、前記接続元のプラグインユニットについて接続元種類及び接続元装置ＩＤ及び接続スロットＩＤと、０系の接続先のプラグインユニットについて接続先種類及び接続先装置ＩＤ及び接続先スロットＩＤを、接続された光ファイバーケーブルの接続番号に対応して前記接続情報テーブルに記憶し、
前記監視制御部は、前記監視制御ＩＦから伝達された情報と前記管理テーブルに記憶された情報に基づき、前記接続元のプラグインユニットについて接続元種類及び接続元装置ＩＤ及び接続スロットＩＤと、１系の接続先のプラグインユニットについて接続先種類及び接続先装置ＩＤ及び接続先スロットＩＤを、接続された光ファイバーケーブルの接続番号に対応して前記接続情報テーブルに記憶する
請求項３に記載の光信号分配装置。
【請求項５】
パネル面に配置された光入力コネクタから入力した光信号を分岐し、パネル面に配置された複数の光出力コネクタから出力するプラグインユニットと、
複数の前記プラグインユニットを複数のスロットにそれぞれ収容するキャビネットと、
前記キャビネット内の複数の前記プラグインユニットの動作状態監視及び制御をする監視制御部と、
複数の前記監視制御部と接続されて常時又は周期的に交信を行う監視制御システムと
を備えた光信号分配システムにおいて、
前記監視制御部は、
キャビネットを表す装置識別情報（ＩＤ）と、スロットＩＤと、プラグインユニットの種類を対応して記憶する管理テーブルと、
光ファイバーケーブルの接続毎に、接続元の装置ＩＤとスロットＩＤと種類、及び、接続先の装置ＩＤとスロットＩＤと種類、を含む接続情報を記憶する接続情報テーブルと、
接続情報を、該監視制御部の前記接続情報テーブルに記憶及び前記監視制御システムに伝達するための登録設定ボタン
を備え、
前記監視制御システムは、
各前記監視制御部の前記接続情報テーブルと前記管理テーブルを集約して、集約接続情報テーブルと集約管理テーブルにそれぞれ記憶し、
前記プラグインユニットは、
前記光入力コネクタに接続した前記光ファイバケーブルのもう一方の接続端の接続先である接続先プラグインユニットが実装されているスロット位置を表す接続先スロットＩＤと、該接続先プラグインユニットを収容するキャビネットを表す接続先装置ＩＤを、手動で設定及び表示するスイッチ又は外部端末により設定及び表示するためのインターフェースと、
前記スイッチ又は前記インターフェースと接続され、前記監視制御部と電気信号を送受する監視制御インタフェース（ＩＦ）と、
前記監視制御ＩＦにより制御されるアクトランプとフェイルランプ
を備え、
前記プラグインユニットがスロットに実装された時又はその後に、前記監視制御ＩＦは、予め定められた前記プラグインユニットの種類と、予め定められた実装されているスロットＩＤを、前記監視制御部へ伝達し、
前記監視制御部は、該監視制御部に予め設定されたキャビネットを表す装置ＩＤと、前記監視制御ＩＦから伝達された前記スロットＩＤと前記種類を対応して、前記管理テーブルに記憶し、
接続元のプラグインユニットの前記監視制御ＩＦは、前記スイッチ又は前記インタフェースにより電気信号情報に変換された前記接続先スロットＩＤ及び前記接続先装置ＩＤを、前記監視制御部へ伝達し、
前記監視制御部は、前記監視制御ＩＦから伝達された情報と前記管理テーブルに記憶された情報に基づき、前記接続元のプラグインユニットについて接続元種類及び接続元装置ＩＤ及び接続スロットＩＤと、接続先のプラグインユニットについて接続先種類及び接続先装置ＩＤ及び接続先スロットＩＤを、接続された光ファイバーケーブルの接続番号に対応して前記接続情報テーブルに記憶し、
前記監視制御システムは、新規又は追加又は変更する光ファイバケーブルの接続情報を、前記接続情報テーブルと同じ形式で作業テーブルとして登録し、
前記監視制御システムは、前記作業テーブルに従って、順次、光ファイバケーブルの接続元と接続先のプラグインユニットに、装置ＩＤ、スロットＩＤ、アクトランプを表示させる指令を、装置ＩＤで定められた監視制御部へ通知してプラグインユニットに設けられたアクトランプを表示し、
アクトランプで表示された両プラグインユニットと光出力コネクタと光入力コネクタ間に光ファイバケーブルが接続され、接続元プラグインユニットの前記スイッチ又は前記インターフェースに、接続先プラグインユニットの装置ＩＤとスロットＩＤが設定され、接続元プラグインユニットの前記監視制御部にある前記登録設定ボタンが操作されると、前記スイッチ又は前記インターフェースで設定した接続先と接続元のプラグインユニットの種類及びスロットＩＤ及び装置ＩＤが、前記監視制御部から前記監視制御システムに通知され、
前記監視制御システムは、通知された接続先と接続元のプラグインユニットの種類及びスロットＩＤ及び装置ＩＤと、前記作業テーブルに登録された接続先と接続元のプラグインユニットの種類及びスロットＩＤ及び装置ＩＤとを照合し、
照合により一致しなかった場合、前記監視制御システムは、接続元及び接続先プラグインユニットの装置ＩＤ及びスロットＩＤとフェイルランプ表示指令を両プラグインユニットを搭載するキャビネットの監視制御部に通知して接続先及び接続元のプラグインユニットのフェイルランプを表示させ、
一方、照合により一致した場合は、前記監視制御システムは、アクトランプと、再作業の場合のフェイルランプを停止させるため、接続先と接続元のプラグインユニットのスロットＩＤ及び装置ＩＤとランプ停止指令を該当の前記監視制御部へ通知し、且つ、前記監視制御システムは、前記作業テーブルの今回接続した接続情報である接続先と接続元のプラグインユニットの種類及びスロットＩＤ及び装置ＩＤを、前記集約接続情報テーブルに追加又は更新する
光信号分配システム。
【請求項６】
パネル面に配置された０系及び１系の光入力コネクタからそれぞれ入力した０系及び１系の光信号からひとつの光信号を選択し、選択された光信号を分岐し、パネル面に配置された複数の光出力コネクタから出力するプラグインユニットと、
複数の前記プラグインユニットを複数のスロットにそれぞれ収容するキャビネットと、
前記キャビネット内の複数の前記プラグインユニットの動作状態監視及び制御をする監視制御部と、
複数の前記監視制御部と接続されて常時又は周期的に交信を行う監視制御システムと
を備えた光信号分配システムにおいて、
前記監視制御部は、
キャビネットを表す装置識別情報（ＩＤ）と、スロットＩＤと、プラグインユニットの種類を対応して記憶する管理テーブルと、
光ファイバーケーブルの接続毎に、接続元の装置ＩＤとスロットＩＤと種類、及び、接続先の装置ＩＤとスロットＩＤと種類、を含む接続情報を記憶する接続情報テーブルと、
接続情報を、該監視制御部の前記接続情報テーブルに記憶及び前記監視制御システムに伝達するための登録設定ボタン
を備え、
前記監視制御システムは、
各前記監視制御部の前記接続情報テーブルと前記管理テーブルを集約して、集約接続情報テーブルと集約管理テーブルにそれぞれ記憶し、
前記プラグインユニットは、
前記０系の光入力コネクタに接続した０系の前記光ファイバケーブルのもう一方の接続端の接続先である０系の接続先プラグインユニットが実装されているスロット位置を表す０系接続先スロットＩＤと、該接続先プラグインユニットを収容するキャビネットを表す０系接続先装置ＩＤを、手動で設定及び表示する０系のスイッチ又は外部端末により設定及び表示するための０系のインターフェースと、
前記１系の光入力コネクタに接続した１系の前記光ファイバケーブルのもう一方の接続端の接続先である１系の接続先プラグインユニットが実装されているスロット位置を表す１系の接続先スロットＩＤと、該接続先プラグインユニットを収容するキャビネットを表す１系の接続先装置ＩＤを、手動で設定及び表示する１系のスイッチ又は外部端末により設定及び表示するための１系のインターフェースと、
前記０系及び１系のスイッチ又は前記０系及び１系のインターフェースと接続され、前記監視制御部と電気信号を送受する監視制御インタフェース（ＩＦ）と、
前記監視制御ＩＦにより制御されるアクトランプとフェイルランプ
を備え、
前記プラグインユニットがスロットに実装された時又はその後に、前記監視制御ＩＦは、予め定められた前記プラグインユニットの種類と、予め定められた実装されているスロットＩＤを、前記監視制御部へ伝達し、
前記監視制御部は、該監視制御部に予め設定されたキャビネットを表す装置ＩＤと、前記監視制御ＩＦから伝達された前記スロットＩＤと前記種類を対応して、前記管理テーブルに記憶し、
接続元のプラグインユニットの前記監視制御ＩＦは、前記０系及び１系のスイッチ又は前記０系及び１系のインタフェースにより電気信号情報に変換された０系及び１系の前記接続先スロットＩＤ及び前記接続先装置ＩＤを、前記監視制御部へ伝達し、
前記監視制御部は、前記監視制御ＩＦから伝達された情報と前記管理テーブルに記憶された情報に基づき、前記接続元のプラグインユニットについて接続元種類及び接続元装置ＩＤ及び接続スロットＩＤと、０系の接続先のプラグインユニットについて接続先種類及び接続先装置ＩＤ及び接続先スロットＩＤを、接続された光ファイバーケーブルの接続番号に対応して前記接続情報テーブルに記憶し、
前記監視制御部は、前記監視制御ＩＦから伝達された情報と前記管理テーブルに記憶された情報に基づき、前記接続元のプラグインユニットについて接続元種類及び接続元装置ＩＤ及び接続スロットＩＤと、１系の接続先のプラグインユニットについて接続先種類及び接続先装置ＩＤ及び接続先スロットＩＤを、接続された光ファイバーケーブルの接続番号に対応して前記接続情報テーブルに記憶し、
前記監視制御システムは、新規又は追加又は変更する光ファイバケーブルの接続情報を、前記接続情報テーブルと同じ形式で作業テーブルとして登録し、
前記監視制御システムは、前記作業テーブルに従って、順次、光ファイバケーブルの接続元と接続先のプラグインユニットに、装置ＩＤ、スロットＩＤ、アクトランプを表示させる指令を、装置ＩＤで定められた監視制御部へ通知してプラグインユニットに設けられたアクトランプを表示し、
アクトランプで表示された両プラグインユニットと光出力コネクタと光入力コネクタ間に光ファイバケーブルが接続され、接続元プラグインユニットの前記スイッチ又は前記インターフェースに、接続先プラグインユニットの装置ＩＤとスロットＩＤが設定され、接続元プラグインユニットの前記監視制御部にある前記登録設定ボタンが操作されると、前記スイッチ又は前記インターフェースで設定した接続先と接続元のプラグインユニットの種類及びスロットＩＤ及び装置ＩＤが、前記監視制御部から前記監視制御システムに通知され、
前記監視制御システムは、通知された接続先と接続元のプラグインユニットの種類及びスロットＩＤ及び装置ＩＤと、前記作業テーブルに登録された接続先と接続元のプラグインユニットの種類及びスロットＩＤ及び装置ＩＤとを照合し、
照合により一致しなかった場合、前記監視制御システムは、接続元及び接続先プラグインユニットの装置ＩＤ及びスロットＩＤとフェイルランプ表示指令を両プラグインユニットを搭載するキャビネットの監視制御部に通知して接続先及び接続元のプラグインユニットのフェイルランプを表示させ、
一方、照合により一致した場合は、前記監視制御システムは、アクトランプと、再作業の場合のフェイルランプを停止させるため、接続先と接続元のプラグインユニットのスロットＩＤ及び装置ＩＤとランプ停止指令を該当の前記監視制御部へ通知し、且つ、前記監視制御システムは、前記作業テーブルの今回接続した接続情報である接続先と接続元のプラグインユニットの種類及びスロットＩＤ及び装置ＩＤを、前記集約接続情報テーブルに追加又は更新する
光信号分配システム。
【請求項７】
前記監視制御システムは、登録した前記作業テーブルにあるプラグインユニットの種類及びスロットＩＤ及び装置ＩＤと、前記集約管理テーブルに記憶された種類及びスロットＩＤ及び装置ＩＤとを照合し、両情報が異なる場合、一方又は両方の装置ＩＤで定められた監視制御部に通知して、スロットＩＤで定められたプラグインユニットに設けられたフェイルランプを表示することを特徴とする請求項５又は６に記載の光信号分配システム。
【請求項８】
前記監視制御ＩＦは、さらに、プラグインユニットの光入力断警報を含む動作異常警報情報を、前記監視制御部へ電気信号で伝達し、前記監視制御部は、前記管理テーブルに、装置ＩＤ及びスロットＩＤに対応して動作異常警報情報をさらに記憶し、
前記監視制御システムは、前記監視制御部から通知された各プラグインユニットの動作異常警報情報を、装置ＩＤ及びスロットＩＤに対応してさらに前記集約管理テーブルに記憶し、
前記監視制御システムは、接続すべきプラグインユニットのアクトランプを表示させるため、接続先及び接続元のプラグインモジュールのスロットＩＤ及び装置ＩＤを前記監視制御部へ通知した後、前記集約管理テーブルを参照し、接続元のプラグインユニットの動作異常情報から光入力断警報の有無を確認し、
前記監視制御システムが光入力断警報が有ることを確認したら、前記監視制御システムは、接続先及び接続元のプラグインユニットのフェイルランプを表示させる指令を該当するキャビネットの前記監視制御部へ通知する
ことを特徴とする請求項５乃至７のいずれかに記載の光信号分配システム。
【請求項９】
前記集約管理テーブルは、装置ＩＤ及びスロットＩＤに対応して、さらに、サービス運用中であるかどうかの情報であるサービス情報を含み、
さらに、前記監視制御システムが前記光入力断警報が無いことを確認したら、前記監視制御システムは、さらに、前記集約管理テーブルを参照して、接続先のプラグインユニットがサービス運用中であるかどうかを確認し、
前記監視制御システムは、接続先プラグインユニットが、運用中で有ることを確認した場合は、接続先及び接続元のプラグインユニットフェイルランプの表示が有れば、これ停止する指令を該当する監視制御部へ通知して、該監視制御部からの接続情報の受信を待ち、
一方、運用中で無いことを確認した場合は、前記監視制御システムは、接続先のプラグインユニット光出力を停止する指令を前記監視制御部に通知し、前記監視制御システムは、さらに前記集約管理テーブルをみて、接続元プラグインユニットの光入力断警報の有無を確認することで、光ファイバケーブルの接続が正しく行われていることを確認することを特徴とする請求項５乃至８のいずれかに記載の光信号分配システム。
【発明の詳細な説明】
【技術分野】
【０００１】
本発明は、光信号分配装置及びシステムに係り、特に、光映像信号の分配数の変化に、システム構成を随時、適応させることが容易な光信号分配装置及びシステムに関するものである。
【背景技術】
【０００２】
光通信技術の進歩に伴い、従来、無線で配信されていたテレビ放送信号を、気象、建築物、様々の要因から放出される妨害雑音の影響を受けない光ファイバによる光ＣＡＴＶ配信サービスが広まってきている。
ＨＦＣ（Ｈｙｂｒｉｄ  Ｆｉｂｅｒ  Ｃｏａｘ）方式による光ＣＡＴＶ配信サービスでは、テレビ放送信号は、事業者ビル内の映像配信装置（ヘッドエンド）で光信号に変換し、光ファイバで、屋外に設置された光ノード装置まで伝送し電気信号に変換する。変換された電気信号はユーザ宅の近辺まで同軸ケーブルで伝送され、分配器により同軸を複数に分岐してユーザ宅へ分配する。
ＨＦＣ方式の発展形態であるＦＴＴＨ（Ｆｉｂｅｒ  Ｔｏ  Ｔｈｅ  Ｈｏｍｅ）方式による光ＣＡＴＶ配信サービスでは、テレビ放送信号は、映像配信装置（ヘッドエンド）で光信号に変換し、事業者の同一または別ビル内の光映像信号分配装置に送り、光増幅器、光分岐を用いて光信号のまま増幅し複数の光出力に分岐し、ユーザ宅内の光映像信号受信機へ光ファイバで分配される。
ＨＦＣ（Ｈｙｂｒｉｄ  Ｆｉｂｅｒ  Ｃｏａｘ）方式においては、新規のユーザに対して、電気信号に変換されたテレビ放送信号を、必要に応じて増幅器を接続して、ユーザ宅付近まで同軸ケーブルを延長して伝送し、そこで分配器により分岐しユーザ宅へ分配する。一方、ＦＴＴＨ方式ではテレビ放送信号の増幅と分岐は事業者ビル内で行われることから、予め計画したサービスユーザ数が増設できる光映像信号分配装置を設置する。このようにＨＦＣ（Ｈｙｂｒｉｄ  Ｆｉｂｅｒ  Ｃｏａｘ）方式では。電気信号増幅器と分岐の追加で適宜対応できるのに対し、ＦＴＴＨ方式では、設置時に、計画したユーザ収容数に対応可能な光映像信号分配装置を設置しておく必要がある。
光映像信号分配装置での光信号の増幅には、エルビウム等の希土類が添加された光ファイバを用いた光増幅器が用いられ、ユーザ数の増加に対応可能な、光出力と分岐数を持つ光増幅器と光分岐を用いる。ただ、光増幅器の光出力、増幅量は技術的な限界があるので、収容するユーザ数が多く分岐数を多くしなければならない場合、光増幅器の分岐出力に、光増幅器を縦続接続して分岐数を増やす。ユーザ数の増加に対応して、光映像信号分配装置では、光増幅器と光分岐が一体となったユニットを単位に、増設してゆく。また、分岐数が多い光映像信号分配装置では、ヘッドエンドからのテレビ放送信号を２重化して、光スイッチでテレビ放送信号が障害時、冗長系のテレビ放送信号に切替え、ヘッドエンドの障害によるユーザへの被害を軽減する手段が用いられる。また、ユーザのエリア拡大に対応するために、事業者ビルの光映像信号分配装置で中継して他のビルの光映像信号分配装置へ、テレビ放送信号を送ることも行われる。
図８は、上記で説明したＦＴＴＨ方式のシステムの一例を示す。光映像配信装置から送出されるテレビ放送信号はビルＡを経由してビルＢ、ビルＣへ中継伝送される。ビルＡ，Ｂ，Ｃが受け持つサービスエリアのユーザ数により、適切な光増幅器の縦続接続段数、冗長切替用の光スイッチの数が異なり、構成が変わる。ビルＡでは、映像信号配信装置から送られてきた、２重化された光信号のテレビ放送信号をそれぞれ増幅分岐して、分岐出力の１つをビルＢへ送る。他の分岐出力は、２つの光スイッチに入力して、２段の光増幅器、光分岐で分配して、ユーザ宅へテレビ放送信号を送る。ビルＢでは、ビルＡを経由した２重化された光信号のテレビ放送信号を、ビルＡと同様にユーザ宅へ送っている。異なる点は光スイッチが３つ有り、その分、分配数も多い。ビルＣは、ビルＢを経由した２重化された光信号のテレビ放送信号を、１段の光増幅器、光分岐で分配して、ユーザ宅へテレビ放送信号を送っており、分配数は少なくなっている。
図９は、図８の光映像信号分配装置のキャビネットの一例を示す。光増幅器と光分岐を実装するプラグインユニットＡと、光スイッチと光分岐を実装するプラグインユニットＢを、構成に合わせて実装する。プラグインユニットの光入出力コネクタに接続する光ファイバケーブルは、キャビネットの前面側のコネクタに接続する。また、このようなシステムでは各キャビネットの動作状態、管理情報、制御は監視制御盤に集約し、ここから遠隔の監視制御システムの端末と通信して監視制御される。非特許文献１，２，３は、以上説明した光映像信号分配装置に関する文献である。
【先行技術文献】
【非特許文献】
【０００３】
【非特許文献１】フジクラ技報  第１０７号「映像配信用高密度実装型光ファイバ増幅器」
【非特許文献２】三菱電線工業時報  第１０１号「ＦＴＴＨ用ＳＮＭＰ対応プラグインユニット型光ファイバ増幅器の開発」
【非特許文献３】ＳＥＩテクニカルレビュー  第１６６号「映像信号用光増幅器の開発」
【発明の概要】
【発明が解決しようとする課題】
【０００４】
本願の対象とするＣＡＴＶサービスに限らず、放送・情報通信サービスの普及の速度、最大ユーザ数の予想は、様々な要因が重なるため、難しい。コンテンツが当たり爆発的な普及も有りうるし、そのようなものが生まれることなく、新たなサービスの出現により、それに取って代わられることもある。従って、事業者としては、最小限のシステム構成でサービスをスタートさせ、サービスの拡大に合わせてシステムを拡張してゆくことが望ましい。例えば、図８のビルＣシステム構成でサービスをスタートさせ、ユーザ数の増加に合わせてビルＡ、ビルＢのシステム構成に既存構成を廃棄することなく積み上げて拡張できれば、適切な投資コストでサービスを拡張できる。
ビルＣ用のキャビネットをビルＡ用に拡張する場合は、増設用キャビネットを追加（装置番号２，３，４）して、これにプラグインユニットＡを実装し、その光増幅器の入力に光ファイバケーブルで、ユーザ宅側へ送出していた光信号を縦続接続してシステム構成を変える必要がある。さらにビルＡからビルＢのシステム構成に拡張するためには、プラグインユニットＢを新たに増設キャビネットに１枚に実装して、これに初段の光増幅器と光分岐で構成されるプラグインユニットＡの分岐出力を光ファイバケーブルで接続してゆけば、ビルＢのシステム構成に拡張できる。このようなシステム構成替えを容易に行うためには、キャビネットのプラグインユニットの搭載スロットは、プラグインユニットＡ、Ｂを両方任意に搭載できるようにすると良い。但し、ここでの課題としては、システムのメンテナンスが複雑になることが挙げられる。例えば、システム構成替えによって光ファイバケーブルの接続が変更されるので、プラグインユニットＡの光入力コネクタは、どのスロットに搭載されているプラグインユニットＡまたはＢのどの光出力コネクタに接続されているかを管理しなければならないが、コネクタ間の接続は電気的な接続がない光ファイバケーブルであるため、プラグインユニットのコネクタ間の接続情報は、監視制御盤では、コネクタ間を光ファイバケーブルで接続しただけでは電気的に自動検出することはできない。
【０００５】
従来は、搭載されるプラグインユニットの種類と搭載位置は固定されていて、プラグインユニット間の光ファイバケーブルの配線もこれに伴い固定されていたので、それらの情報は固定的に監視制御盤や、監視制御システムに登録され、光ファイバケーブルの配線を自動的に監視制御盤で検出したり、プラグインユニット上に、接続先情報を、更新可能な方法で、保守者に、表示することは無かった。また、光ファイバケーブルを接続するプラグインユニットに、ケーブルの接続情報を記録し、それを更新することも無かった。よって、上述のように任意に、プラグインユニットを搭載し、光ファイバケーブルの配線をし、あるいは、運用中に更新することにすると、プラグインユニットの搭載と光ファイバケーブルの接続作業とは別に、監視制御盤や、監視制御システムに接続したパソコン等の端末から、光ファイバケーブルのプラグインユニットの接続先、接続元搭載位置、種類等の接続情報を入力し、また更新する作業が必要になる。なお、本明細書中、例えば、「接続先」は信号分配の上流を示し、「接続元」は信号分配の下流を示す。
ただ、この場合、作業対象が、接続作業はプラグインユニットＡ，Ｂで、接続情報の入力作業が監視制御盤と遠隔の監視制御システムで、物理的に分離しているため、情報入力をミスしたり、洩らしたり、接続を間違えたりして、実際の接続と、入力情報が不一致となるような誤接続が生じ易い場合がある。プラグインユニットＡの光出力が故障により断した時、その光出力を入力としている下流のプラグインユニットＡまたはＢには、光入力が無くなるため障害が波及し、光入力断の障害が検出される。監視制御盤では、これらの障害情報を集約しているが、前述した誤接続があると、どのプラグインユニットが上流か下流かの情報が正しく把握できないので、障害波及を辿ることができず、障害プラグインユニットを特定できない場合がある。また、監視制御盤または遠隔の監視制御システムでは、障害が生じた時、障害プラグインユニットの正面パネルにある警報表示のＬＥＤ等を点灯させて保守交換すべきプラグインユニットを保守者に対して明示するが、障害プラグインユニットの警報表示ＬＥＤとその障害が波及したプラグインユニットの警報表示ＬＥＤが、それぞれの障害警報で両方が点灯することになる。この場合、保守者は、対象のプラグインユニットに接続情報を得るために、接続情報を監視制御盤から収集するか、キャビネットの面前で、接続されている光ファイバケーブルを辿りながら接続状態を確認した上で、障害プラグインユニットがどちらかを特定しなければならなくなる。また、遠隔の監視制御システムでは、実際の光ファイバケーブルの接続状態を見ることが出来ないので、障害プラグインユニットの特定は難しくなる。
また、従来は、光ファイバケーブルの接続作業は、設計図あるいは製造図面に基づいて、光ファイバケーブルの接続をしていたが、接続更新時にも同様の方法で作業を行うと、図面の読み間違いで、運用中の光ファイバケーブルの接続を誤って外してしまう可能性や、接続洩れの可能性がある。また、実際の光ファイバケーブルの接続が、正しいかどうかは、従来、製造時や運用前に試験確認をするが、光ファイバケーブルの接続更新時にも確認する必要がある。同様に、設計図あるいは製造図面に基づいて、試験確認をすると、誤って試験して、運用中のサービス障害を与える可能性がある。
本発明は、以上の点に鑑み、プラグインユニット間の光ファイバケーブルの接続情報が、光ファイバケーブルの接続作業時に、接続作業対象のプラグインユニットのパネル（正面パネル等）上またはパネル（正面パネル等）に接続したパソコン等の端末に表示され、監視制御盤と遠隔の監視制御システムにも表示内容と一致した接続情報が自動的に通知されるので、作業を容易にし、誤接続を生じ難くすることを目的とする。
【課題を解決するための手段】
【０００６】
本願では、上記の課題を解決することを目的として、プラグインユニット間の光ファイバケーブルの接続時に、作業者が、プラグインユニットの正面パネル上にあるロータリスイッチ等の手段を使って光ファイバケーブルの接続先を表示し、表示した情報が電気的に登録されるようにする。すなわち、表示情報は、プラグインユニットの背面側にある配線盤（ＢＷＢ）を介して監視制御盤に伝達され、光ファイバケーブルの接続先のプラグンユニットが搭載されているキャビネットを特定する番号あるいは文字と、キャビネット内のスロット位置を表す番号あるいは文字と、接続元のキャビネットを特定する番号あるいは文字と、キャビベネット内のスロット位置を表す番号あるいは文字を、該当するプラグインユニットから収集してテーブル化して監視制御盤上で記憶する。さらに監視制御盤を通して、遠隔の監視制御システムにもこれらの情報が送られ記憶されるようにしてもよい。
プラグインユニットの正面パネルに接続先のプラグインユニットのスロットを表示する第一の手段として、プラグインユニットの正面パネル上にロータリスイッチ等を配置し、接続先のプラグインユニットのスロット番号を設定することにより表示することができる。第二の手段として、プラグインユニットの正面パネル上に端末とのインタフェースコネクタを配置し、光ファイバケーブル接続時に、インタフェースコネクタに接続した端末から接続情報を設定して表示することができる。
また、上記の登録に先立ち、現地で光ファイバケーブルを接続する前に、遠隔の監視制御システムの端末で上記接続情報テーブルを登録して、そのテーブルと光ファイバケーブルを接続時に登録する接続情報テーブルと一致しているかを自動的に確認することができる。もし、遠隔の監視制御システムに登録した接続情報と異なった登録した場合、プラグインユニットの正面パネル上の警報表示ランプを点灯させ作業者に通知することができる。
また、予め、登録した接続情報テーブルに従って、光ファイバケーブル毎に接続するプラグインユニットの正面板上の表示ランプを点滅させて、そのガイドに従って、保守者はそれを見て光ファイバケーブルを接続することができる。
また、登録した接続情報テーブルと実際の接続が、一致しているかを検証するために、接続情報テーブルに基づいて、新たに接続した光ファイバケーブルの接続先のプラグインユニットの光出力を、監視制御盤からの停止信号により停止した時、接続元で光入力信号断を検出できるかどうかで、接続を検証することができる。
【０００７】
本発明の第１の解決手段によると、
パネル面に配置された光入力コネクタから入力した光信号を分岐し、パネル面に配置された複数の光出力コネクタから出力するプラグインユニットと、
複数の前記プラグインユニットを複数のスロットにそれぞれ収容するキャビネットと、
前記キャビネット内の複数の前記プラグインユニットの動作状態監視及び制御をする監視制御部と
を備えた光信号分配装置において、
前記プラグインユニットは、
前記光入力コネクタに接続した前記光ファイバケーブルのもう一方の接続端の接続先である接続先プラグインユニットが実装されているスロット位置を表す接続先スロット識別情報（ＩＤ）と、該接続先プラグインユニットを収容するキャビネットを表す接続先装置ＩＤを、手動で設定及び表示するスイッチ又は外部端末により設定及び表示するためのインターフェースと、
前記スイッチ又は前記インターフェースと接続され、前記監視制御部と電気信号を送受する監視制御インタフェース（ＩＦ）と
を備え、
前記プラグインユニットがスロットに実装された時又はその後に、前記監視制御ＩＦは、予め定められた前記プラグインユニットの種類と、予め定められた実装されているスロットＩＤを、前記監視制御部へ伝達し、
接続元のプラグインユニットの前記監視制御ＩＦは、前記スイッチ又は前記インタフェースにより電気信号情報に変換された前記接続先スロットＩＤ及び前記接続先装置ＩＤを、前記監視制御部へ伝達し、
前記監視制御盤は、前記監視制御ＩＦから伝達された伝達された情報を記憶する
光信号分配装置が提供される。
【０００８】
本発明の第２の解決手段によると、
パネル面に配置された０系及び１系の光入力コネクタからそれぞれ入力した０系及び１系の光信号からひとつの光信号を選択し、選択された光信号を分岐し、パネル面に配置された複数の光出力コネクタから出力するプラグインユニットと、
複数の前記プラグインユニットを複数のスロットにそれぞれ収容するキャビネットと、
前記キャビネット内の複数の前記プラグインユニットの動作状態監視及び制御をする監視制御部と
を備えた光信号分配装置において、
前記プラグインユニットは、
前記０系の光入力コネクタに接続した０系の前記光ファイバケーブルのもう一方の接続端の接続先である０系の接続先プラグインユニットが実装されているスロット位置を表す０系接続先スロット識別情報（ＩＤ）と、該接続先プラグインユニットを収容するキャビネットを表す０系接続先装置ＩＤを、手動で設定及び表示する０系のスイッチ又は外部端末により設定及び表示するための０系のインターフェースと、
前記１系の光入力コネクタに接続した１系の前記光ファイバケーブルのもう一方の接続端の接続先である１系の接続先プラグインユニットが実装されているスロット位置を表す１系の接続先スロットＩＤと、該接続先プラグインユニットを収容するキャビネットを表す１系の接続先装置ＩＤを、手動で設定及び表示する１系のスイッチ又は外部端末により設定及び表示するための１系のインターフェースと、
前記０系及び１系のスイッチ又は前記０系及び１系のインターフェースと接続され、前記監視制御部と電気信号を送受する監視制御インタフェース（ＩＦ）と
を備え、
前記プラグインユニットがスロットに実装された時又はその後に、前記監視制御ＩＦは、予め定められた前記プラグインユニットの種類と、予め定められた実装されているスロットＩＤを、前記監視制御部へ伝達し、
接続元のプラグインユニットの前記監視制御ＩＦは、前記０系及び１系のスイッチ又は前記０系及び１系のインタフェースにより電気信号情報に変換された０系及び１系の前記接続先スロットＩＤ及び前記接続先装置ＩＤを、前記監視制御部へ伝達し、
前記監視制御盤は、前記監視制御ＩＦから伝達された伝達された情報を記憶する
光信号分配装置が提供される。
本発明の第３の解決手段によると、
パネル面に配置された光入力コネクタから入力した光信号を分岐し、パネル面に配置された複数の光出力コネクタから出力するプラグインユニットと、
複数の前記プラグインユニットを複数のスロットにそれぞれ収容するキャビネットと、
前記キャビネット内の複数の前記プラグインユニットの動作状態監視及び制御をする監視制御部と、
複数の前記監視制御部と接続されて常時又は周期的に交信を行う監視制御システムと
を備えた光信号分配システムにおいて、
前記監視制御部は、
キャビネットを表す装置識別情報（ＩＤ）と、スロットＩＤと、プラグインユニットの種類を対応して記憶する管理テーブルと、
光ファイバーケーブルの接続毎に、接続元の装置ＩＤとスロットＩＤと種類、及び、接続先の装置ＩＤとスロットＩＤと種類、を含む接続情報を記憶する接続情報テーブルと、
接続情報を、該監視制御部の前記接続情報テーブルに記憶及び前記監視制御システムに伝達するための登録設定ボタン
を備え、
前記監視制御システムは、
各前記監視制御部の前記接続情報テーブルと前記管理テーブルを集約して、集約接続情報テーブルと集約管理テーブルにそれぞれ記憶し、
前記プラグインユニットは、
前記光入力コネクタに接続した前記光ファイバケーブルのもう一方の接続端の接続先である接続先プラグインユニットが実装されているスロット位置を表す接続先スロットＩＤと、該接続先プラグインユニットを収容するキャビネットを表す接続先装置ＩＤを、手動で設定及び表示するスイッチ又は外部端末により設定及び表示するためのインターフェースと、
前記スイッチ又は前記インターフェースと接続され、前記監視制御部と電気信号を送受する監視制御インタフェース（ＩＦ）と、
前記監視制御ＩＦにより制御されるアクトランプとフェイルランプ
を備え、
前記プラグインユニットがスロットに実装された時又はその後に、前記監視制御ＩＦは、予め定められた前記プラグインユニットの種類と、予め定められた実装されているスロットＩＤを、前記監視制御部へ伝達し、
前記監視制御部は、該監視制御部に予め設定されたキャビネットを表す装置ＩＤと、前記監視制御ＩＦから伝達された前記スロットＩＤと前記種類を対応して、前記管理テーブルに記憶し、
接続元のプラグインユニットの前記監視制御ＩＦは、前記スイッチ又は前記インタフェースにより電気信号情報に変換された前記接続先スロットＩＤ及び前記接続先装置ＩＤを、前記監視制御部へ伝達し、
前記監視制御部は、前記監視制御ＩＦから伝達された情報と前記管理テーブルに記憶された情報に基づき、前記接続元のプラグインユニットについて接続元種類及び接続元装置ＩＤ及び接続スロットＩＤと、接続先のプラグインユニットについて接続先種類及び接続先装置ＩＤ及び接続先スロットＩＤを、接続された光ファイバーケーブルの接続番号に対応して前記接続情報テーブルに記憶し、
前記監視制御システムは、新規又は追加又は変更する光ファイバケーブルの接続情報を、前記接続情報テーブルと同じ形式で作業テーブルとして登録し、
前記監視制御システムは、前記作業テーブルに従って、順次、光ファイバケーブルの接続元と接続先のプラグインユニットに、装置ＩＤ、スロットＩＤ、アクトランプを表示させる指令を、装置ＩＤで定められた監視制御部へ通知してプラグインユニットに設けられたアクトランプを表示し、
アクトランプで表示された両プラグインユニットと光出力コネクタと光入力コネクタ間に光ファイバケーブルが接続され、接続元プラグインユニットの前記スイッチ又は前記インターフェースに、接続先プラグインユニットの装置ＩＤとスロットＩＤが設定され、接続元プラグインユニットの前記監視制御部にある前記登録設定ボタンが操作されると、前記スイッチ又は前記インターフェースで設定した接続先と接続元のプラグインユニットの種類及びスロットＩＤ及び装置ＩＤが、前記監視制御部から前記監視制御システムに通知され、
前記監視制御システムは、通知された接続先と接続元のプラグインユニットの種類及びスロットＩＤ及び装置ＩＤと、前記作業テーブルに登録された接続先と接続元のプラグインユニットの種類及びスロットＩＤ及び装置ＩＤとを照合し、
照合により一致しなかった場合、前記監視制御システムは、接続元及び接続先プラグインユニットの装置ＩＤ及びスロットＩＤとフェイルランプ表示指令を両プラグインユニットを搭載するキャビネットの監視制御部に通知して接続先及び接続元のプラグインユニットのフェイルランプを表示させ、
一方、照合により一致した場合は、前記監視制御システムは、アクトランプと、再作業の場合のフェイルランプを停止させるため、接続先と接続元のプラグインユニットのスロットＩＤ及び装置ＩＤとランプ停止指令を該当の前記監視制御部へ通知し、且つ、前記監視制御システムは、前記作業テーブルの今回接続した接続情報である接続先と接続元のプラグインユニットの種類及びスロットＩＤ及び装置ＩＤを、前記集約接続情報テーブルに追加又は更新する
光信号分配システムが提供される。
【０００９】
本発明の第４の解決手段によると、
パネル面に配置された０系及び１系の光入力コネクタからそれぞれ入力した０系及び１系の光信号からひとつの光信号を選択し、選択された光信号を分岐し、パネル面に配置された複数の光出力コネクタから出力するプラグインユニットと、
複数の前記プラグインユニットを複数のスロットにそれぞれ収容するキャビネットと、
前記キャビネット内の複数の前記プラグインユニットの動作状態監視及び制御をする監視制御部と、
複数の前記監視制御部と接続されて常時又は周期的に交信を行う監視制御システムと
を備えた光信号分配システムにおいて、
前記監視制御部は、
キャビネットを表す装置識別情報（ＩＤ）と、スロットＩＤと、プラグインユニットの種類を対応して記憶する管理テーブルと、
光ファイバーケーブルの接続毎に、接続元の装置ＩＤとスロットＩＤと種類、及び、接続先の装置ＩＤとスロットＩＤと種類、を含む接続情報を記憶する接続情報テーブルと、
接続情報を、該監視制御部の前記接続情報テーブルに記憶及び前記監視制御システムに伝達するための登録設定ボタン
を備え、
前記監視制御システムは、
各前記監視制御部の前記接続情報テーブルと前記管理テーブルを集約して、集約接続情報テーブルと集約管理テーブルにそれぞれ記憶し、
前記プラグインユニットは、
前記０系の光入力コネクタに接続した０系の前記光ファイバケーブルのもう一方の接続端の接続先である０系の接続先プラグインユニットが実装されているスロット位置を表す０系接続先スロットＩＤと、該接続先プラグインユニットを収容するキャビネットを表す０系接続先装置ＩＤを、手動で設定及び表示する０系のスイッチ又は外部端末により設定及び表示するための０系のインターフェースと、
前記１系の光入力コネクタに接続した１系の前記光ファイバケーブルのもう一方の接続端の接続先である１系の接続先プラグインユニットが実装されているスロット位置を表す１系の接続先スロットＩＤと、該接続先プラグインユニットを収容するキャビネットを表す１系の接続先装置ＩＤを、手動で設定及び表示する１系のスイッチ又は外部端末により設定及び表示するための１系のインターフェースと、
前記０系及び１系のスイッチ又は前記０系及び１系のインターフェースと接続され、前記監視制御部と電気信号を送受する監視制御インタフェース（ＩＦ）と、
前記監視制御ＩＦにより制御されるアクトランプとフェイルランプ
を備え、
前記プラグインユニットがスロットに実装された時又はその後に、前記監視制御ＩＦは、予め定められた前記プラグインユニットの種類と、予め定められた実装されているスロットＩＤを、前記監視制御部へ伝達し、
前記監視制御部は、該監視制御部に予め設定されたキャビネットを表す装置ＩＤと、前記監視制御ＩＦから伝達された前記スロットＩＤと前記種類を対応して、前記管理テーブルに記憶し、
接続元のプラグインユニットの前記監視制御ＩＦは、前記０系及び１系のスイッチ又は前記０系及び１系のインタフェースにより電気信号情報に変換された０系及び１系の前記接続先スロットＩＤ及び前記接続先装置ＩＤを、前記監視制御部へ伝達し、
前記監視制御部は、前記監視制御ＩＦから伝達された情報と前記管理テーブルに記憶された情報に基づき、前記接続元のプラグインユニットについて接続元種類及び接続元装置ＩＤ及び接続スロットＩＤと、０系の接続先のプラグインユニットについて接続先種類及び接続先装置ＩＤ及び接続先スロットＩＤを、接続された光ファイバーケーブルの接続番号に対応して前記接続情報テーブルに記憶し、
前記監視制御部は、前記監視制御ＩＦから伝達された情報と前記管理テーブルに記憶された情報に基づき、前記接続元のプラグインユニットについて接続元種類及び接続元装置ＩＤ及び接続スロットＩＤと、１系の接続先のプラグインユニットについて接続先種類及び接続先装置ＩＤ及び接続先スロットＩＤを、接続された光ファイバーケーブルの接続番号に対応して前記接続情報テーブルに記憶し、
前記監視制御システムは、新規又は追加又は変更する光ファイバケーブルの接続情報を、前記接続情報テーブルと同じ形式で作業テーブルとして登録し、
前記監視制御システムは、前記作業テーブルに従って、順次、光ファイバケーブルの接続元と接続先のプラグインユニットに、装置ＩＤ、スロットＩＤ、アクトランプを表示させる指令を、装置ＩＤで定められた監視制御部へ通知してプラグインユニットに設けられたアクトランプを表示し、
アクトランプで表示された両プラグインユニットと光出力コネクタと光入力コネクタ間に光ファイバケーブルが接続され、接続元プラグインユニットの前記スイッチ又は前記インターフェースに、接続先プラグインユニットの装置ＩＤとスロットＩＤが設定され、接続元プラグインユニットの前記監視制御部にある前記登録設定ボタンが操作されると、前記スイッチ又は前記インターフェースで設定した接続先と接続元のプラグインユニットの種類及びスロットＩＤ及び装置ＩＤが、前記監視制御部から前記監視制御システムに通知され、
前記監視制御システムは、通知された接続先と接続元のプラグインユニットの種類及びスロットＩＤ及び装置ＩＤと、前記作業テーブルに登録された接続先と接続元のプラグインユニットの種類及びスロットＩＤ及び装置ＩＤとを照合し、
照合により一致しなかった場合、前記監視制御システムは、接続元及び接続先プラグインユニットの装置ＩＤ及びスロットＩＤとフェイルランプ表示指令を両プラグインユニットを搭載するキャビネットの監視制御部に通知して接続先及び接続元のプラグインユニットのフェイルランプを表示させ、
一方、照合により一致した場合は、前記監視制御システムは、アクトランプと、再作業の場合のフェイルランプを停止させるため、接続先と接続元のプラグインユニットのスロットＩＤ及び装置ＩＤとランプ停止指令を該当の前記監視制御部へ通知し、且つ、前記監視制御システムは、前記作業テーブルの今回接続した接続情報である接続先と接続元のプラグインユニットの種類及びスロットＩＤ及び装置ＩＤを、前記集約接続情報テーブルに追加又は更新する
光信号分配システムが提供される。
【発明の効果】
【００１０】
本発明によれば、プラグインユニット間の光ファイバケーブルの接続情報が、光ファイバケーブルの接続作業時に、接続作業対象のプラグインユニットのパネル（正面パネル等）上またはパネル（正面パネル等）に接続したパソコン等の端末に表示され、監視制御盤と遠隔の監視制御システムにも表示内容と一致した接続情報が自動的に通知されるので、作業が容易になり、誤接続が生じ難くなる。
また、本発明によれば、監視制御システムから、光ファイバケーブルの接続先、接続元のプラグインユニットの正面パネル上のＬＥＤランプを自動的に点灯表示する光ファイバを接続作業のガイド機能により正確で誤りのない作業が可能になり、運用中の光ファイバケーブル接続を誤って外す事故を防ぐことができる。さらに、本発明によれば、保守者が、接続した光ファイバケーブルの接続情報を登録する際、登録情報と、予め監視制御システムに登録した接続情報テーブルと一致しているかどうかを、自動的に判定し、誤っていた場合、通知することができるので、誤った作業を、防ぐことができる。また、本発明によれば、登録された接続情報テーブルを元に、新たに接続された光ファイバケーブルに対して、光出力側のプラグインユニットの光出力を停止して、入力側で光入力断を検出することで、光ファイバケーブルが実際に正しく接続されているかを確認でき、運用中のサービスにも障害を与えないようにすることができる。
このように、本発明によれば、誤接続が生じ無くなると、障害波及が監視制御盤と監視制御システムで正確に把握されるので、例えばプラグインユニットに障害が生じ、光出力断になった場合、その光出力を光ファイバケーブルで接続され光入力とする下流側のプラグインユニットで入力断障害が、上流側の出力断障害の波及であるかどうかを監視制御盤、または遠隔の監視制御システムで判定ができ、障害プラグインユニットの正確に特定ができる。
【図面の簡単な説明】
【００１１】
【図１（ａ）】光映像信号分配用光増幅盤の機能ブロック図。
【図１（ｂ）】光映像信号冗長切替用光スイッチ分岐盤の機能ブロック図。
【図１（ｃ）】光映像信号中継用光増幅盤の機能ブロック図。
【図２】映像信号分配用光増幅盤と光映像信号冗長切替用光スイッチ分岐盤のフロントパネル例１の図。
【図３（ａ）】図８のビルＣの光映像信号分配装置を構成したシステム構成図。
【図３（ｂ）】図８のビルＡの光映像信号分配装置を構成したシステム構成図。
【図３（ｃ）】接続情報テーブル例の図。
【図３（ｄ）】接続情報テーブル例の図。
【図３（ｅ）】プラグインユニット管理テーブル例の図。
【図３（ｆ）】プラグインユニット管理テーブル例の図。
【図４】図３（ａ）の光映像信号分配装置の内部と外観の一例を示す図。
【図５】図３（ｂ）の光映像信号分配装置の外観図例の一例を示す図。
【図６（ａ）】光ファイバケーブル接続作業のフローチャート。
【図６（ｂ）】光ファイバケーブル接続の検証するフローチャート。
【図６（ｃ）】図６（ａ）のフローチャートのシーケンス図。
【図６（ｄ）】図６（ｂ）のフローチャートのシーケンス図。
【図７】映像信号分配用光増幅盤と光映像信号冗長切替用光スイッチ分岐盤のフロントパネル例２の図。
【図８】ＣＡＴＶ  ＦＴＴＨシステム例の図。
【図９】図８の光映像信号分配装置のキャビネット例の図。
【図１０】監視制御盤のメモリの構成図。
【図１１】監視制御システムのメモリの構成図。
【発明を実施するための形態】
【００１２】
１．プラグインユニット
以下説明する本発明の、光映像分配装置の実施の形態では、機能ブロック図、図１（ａ），図１（ｂ），図１（ｃ）で示される機能のプラグインユニットを収容する。
【００１３】
１−１．分配用光増幅盤
機能ブロック図、図１（ａ）で示される機能のプラグインユニットは、光映像信号分配用光増幅盤である。プラグインユニットのフロントパネルにある光入力コネクタ１から入力される光入力光映像信号は、ファイバ光増幅器２で増幅された後、光分岐（本例では８分岐）３で分岐し、フロントパネルに取付けられた光出力コネクタ４から出力される。尚、本実施の形態の光映像信号は、映像変調信号で光強度変調された光信号であり、映像信号が無い場合でも、光信号はキャリア信号で強度変調され、常時、一定した平均値光出力レベルを持つ。監視制御インタフェース部５は、ファイバ光増幅器２内で検出される光入力断、光出力異常等の動作異常警報を検出して、プラグインコネクタ６から、後述する同装置内の配線盤を介して、同装置内の監視制御盤へ電気信号で伝達する。逆に監視制御盤から、配線盤、監視制御インタフェースを介してファイバ光増幅器２に信号を送り、出力を停止する。また配線盤にプラグインコネクタ６を接続することにより、光映像信号分配用光増幅盤に電源が供給される。サムロータリスイッチは、その表示番号または文字を手動で設定することが可能で、表示文字または数字に応じて、その複数の接点の接触の組合せを、変化させる。フロントパネルにあるサムロータリスイッチ７，  ２個には、フロントパネル側から光入力コネクタ１に接続される光ファイバケーブルの接続先情報を設定する。すなわち、接続先の光出力コネクタを実装するプラグインユニットの、スロット位置を示す番号または文字と、そのプラグインユニットを収容する装置（キャビネット）を示す番号または文字を、サムロータリスイッチ７により手動で設定、表示する。表示した番号または文字情報は、サムロータリスイッチ７の接点の接触の組合せを利用して電気信号情報に変換されて、プラグインコネクタ６から同装置内の配線盤を介して、監視制御盤へ伝達される。また、プラグインユニット実装時に、自プラグインユニットの種類と、実装されているスロット位置の情報も、監視制御インタフェース５より、プラグインコネクタ６と同装置内の配線盤を介して、監視制御盤へ伝達される。自プラグインユニットが実装されているスロット位置の情報は、プラグインコネクタ６の複数の接続ｐｉｎを、配線盤上でグランドへ接続する組合せに変換され、監視制御インタフェース５で認識される。プラグインユニットの種類は、種類を区別するコードを監視制御インタフェース５に記憶しておく。フロントパネルにあるＬＥＤランプのＡＣＴランプ８、ＦＡＩＬランプ９は監視制御盤により、配線盤、プラグインコネクタ６、監視制御インターフェース部５を介して点灯制御される。監視制御盤に通信回線で接続した遠隔の監視制御システムまたは、監視制御盤が、プラグインユニットをサービス運用にする時に、ＡＣＴランプを点灯させ、プラグインユニットの故障を判定した時にＦＡＩＬランプを点灯させる。また後述する光ファイバケーブルの接続作業時にも、このＬＥＤランプを点滅させる。
図２（ａ）は、上記説明した図１（ａ）の光映像信号分配用光増幅盤のフロントパネル例である。実装されている２個のサムロータリスイッチ７のうち、向かって左側に、光ファイバケーブルの相手方の接続先の装置（キャビネット）を示す番号または文字を、右側に相手方の接続先のプラグインユニットが実装されているスロット位置を示す番号または文字を設定する。
【００１４】
１−２．冗長切替用光スイッチ分岐盤
図１（ｂ）で示される機能のプラグインユニットは、光映像信号冗長切替用光スイッチ分岐盤である。０系光入力光映像信号と１系光入力光映像信号は、プラグインユニットのフロントパネルにある２個の光入力コネクタ１０から入力される。光スイッチ１１では、一方の光入力映像信号を選択し、光信号に異常が生じたら、それを検出して、もう一方の光入力映像信号に切替える。また、光ＯＮ／ＯＦＦスイッチで光出力を停止する。光分岐（本例では４分岐）１２では、光スイッチ１１で選択された光入力映像信号を分岐し、フロントパネル上の光出力コネクタ１３へ出力する。監視制御インタフェース部１４では、光スイッチ１１の動作異常警報、光信号異常を、プラグインコネクタ１８から、後述する配線盤を介して監視制御盤へ電気信号で伝達する。逆に監視制御盤から、配線盤、監視制御インタフェースを介して光スイッチのＯＮ／ＯＦＦスイッチに信号を送り、光出力コネクタ１３への光出力を停止する。フロントパネル上の４個のサムロータリスイッチ１５では、フロントパネル側から０系、１系の光入力コネクタ１０に接続される光ファイバケーブルの接続先情報を設定する。すなわち、接続先の光出力コネクタを実装するプラグインユニットの、スロット位置を示す番号または文字と、そのプラグインユニットを収容する装置（キャビネット）を示す番号または文字を、サムロータリスイッチ１５により手動で設定、表示する。光映像信号分配用光増幅盤と同様、表示番号または文字情報は監視制御盤へ伝達される。また、プラグインユニット実装時に、自プラグインユニットの種類と、実装されているスロット位置の情報も、監視制御インタフェース１４より、プラグインコネクタ１８と同装置内の配線盤を介して、監視制御盤へ伝達される。自プラグインユニットが実装されているスロット位置の情報は、プラグインコネクタ１８の複数の接続ｐｉｎを、配線盤上でグランドへ接続する組合せに変換され、監視制御インタフェース１４で認識される。プラグインユニットの種類は、種類を区別するコードを監視制御インタフェース１４に記憶しておく。フロントパネル上にあるＬＥＤランプのＡＣＴランプ１６、ＦＡＩＬランプ１７は、監視制御盤により、配線盤、プラグインコネクタ１８、監視制御インターフェース部１４を介して、前述の光映像信号分配用光増幅盤同様、点灯点滅制御される。
図２（ｂ）は上記説明した図１（ｂ）のプラグインユニットのフロントパネル例である。実装されている４個のロータリスイッチの上側２個は０系光入力コネクタの接続先表示用で、向かって左側が接続先の装置（キャビネット）を示す番号または文字で、右側が接続先のプラグインユニットが実装されているスロットを示す番号または文字を表示し、下側の２個は１系光入力コネクタの接続先表示用である。
【００１５】
１−３．中継用光増幅盤
機能ブロック図、図１（ｃ）で示される機能のプラグインユニットは、光映像信号中継用光増幅盤である。前述の光映像信号分配用光増幅盤と同様、プラグインユニットのフロントパネルにある光入力コネクタ１９から入力される光入力光映像信号は、ファイバ光増幅器２０で増幅された後、光分岐（本例では８分岐）２１で分岐し、フロントパネルに取付けられた光出力コネクタ２２から出力される。監視制御インタフェース部２３は、ファイバ光増幅器２０内で検出される光入力断、光出力異常等の動作異常警報を検出して、プラグインコネクタ２６から、後述する同装置内の配線盤を介して、同装置内の監視制御盤へ電気信号で伝達する。逆に監視制御盤から、配線盤、監視制御インタフェースを介してファイバ光増幅器２０に信号を送り、光出力を停止する。ただし、中継用光増幅器では、光入力コネクタ１９に接続される光ファイバケーブルの相手方接続先は、遠隔の光映像配信装置等であり、接続先情報をサムロータリスイッチでは設定表示しない。また、プラグインユニット実装時に、自プラグインユニットの種類と、実装されているスロット位置の情報も、監視制御インタフェース２３より、プラグインコネクタ２６と同装置内の配線盤を介して、監視制御盤へ伝達される。自プラグインユニットが実装されているスロット位置の情報は、プラグインコネクタ２３の複数の接続ｐｉｎを、配線盤上でグランドへ接続する組合せに変換され、監視制御インタフェース２６で認識される。プラグインユニットの種類は、種類を区別するコードを監視制御インタフェース２３に記憶しておく。フロントパネル上にあるＬＥＤランプのＡＣＴランプ２７、ＦＡＩＬランプ２８は、監視制御盤により、配線盤、プラグインコネクタ１８、監視制御インターフェース部２３を介して前述の光映像信号分配用光増幅盤同様、点灯点滅制御される
【００１６】
２．システム（ビルＣ）
図３（ａ）は、上記で説明した機能ブロック図、図１（ａ），（ｂ），（ｃ）の機能のプラグインユニットを搭載して、図８のビルＣの光映像信号分配装置を構成したシステム構成図である。図３（ａ）の光映像信号分配装置では、図１（ａ）と図２（ａ）で説明した光映像信号分配用光増幅盤２９を８台、図１（ｂ）と図２（ｂ）で説明した光映像信号冗長切替用光スイッチ分岐盤３０を２台、図１（ｃ）で説明した光映像信号中継用光増幅盤３１を２台を収容して、それぞれが配線盤３２に接続される。監視制御盤３３は、配線盤３２に接続して、光映像信号分配用光増幅盤２９、光映像信号冗長切替用光スイッチ分岐盤３０、光映像信号中継用光増幅盤３１の監視制御インタフェースと接続する。
監視制御盤３３は、登録設定ボタン３５、通信機能部３６、警報処理・ＬＥＤランプ制御部を含む中央演算処理部（ＣＰＵ）３７、メモリ３８を備える。監視制御システム３０１は、通信制御部３０２、中央演算処理部（ＣＰＵ）３０３、メモリ３０４を備える。
図１０に、監視制御盤３３のメモリ３８の構成図を示す。
また、図１１に、監視制御システム３０１のメモリ３０４の構成図を示す。
監視制御盤３３のメモリ３８には、自装置に搭載されたプラグインユニットについての、接続情報テーブル及びプラグインユニット管理テーブルを含む。また、監視制御システム３０１のメモリ３０４には、自システムに接続された複数の監視制御盤３３の装置に搭載されたプラグインユニットについての、集約された接続情報テーブル及びプラグインユニット管理テーブルと、作業テーブルを含む。作業テーブルは、接続情報テーブルと同様のフォーマットである。これら、接続情報テーブル及びプラグインユニット管理テーブル、集約された接続情報テーブル及びプラグインユニット管理テーブルの詳細については、後述する。
【００１７】
２−１．監視制御盤
監視制御盤３３は、監視制御インタフェースとの接続を通して各プラグインユニットの動作異常警報と実装情報（スロット位置、プラグインユニットの種類）を収集する。これらの情報は、プラグインユニット管理テーブルとしてメモリ３８に記憶する。各スロット位置に実装されているプラグインユニットの種類とスロット位置情報および動作異常警報は、先に説明したように、プラグインユニットを実装後に、プラグインユニットの監視制御インタフェースから、監視制御盤３３へ配線盤３２を介して通知される。プラグインユニット管理テーブルの例は図３（ｅ）で後述する。プラグインユニット間の光ファイバケーブルの配線３４は装置のフロントパネル上の光入出力コネクタ間で行われ、図８のビルＣの構成だと配線３４のようになる。この配線情報（接続情報）は、プラグインユニット２９．３０のサムロータリスイッチで設定されて監視制御インタフェースから配線盤３２を介して監視制御盤３３へ送られ、監視制御盤のフロントパネルにある登録設定ボタン３５を、装置保守者や設置作業者が、光ファイバケーブル配線時に、押下げることで、監視制御盤３３と遠隔の監視制御システムに入力登録される。登録される個々の接続情報は、配線３４を表わす図３（ｃ）で後述するような、接続情報テーブルとして、監視制御盤３３のメモリ３８と監視制御システム３０１のメモリ３０４へ記憶する。監視制御盤３３は、接続情報テーブルに、以下のように、各接続毎に、接続先／接続元の装置・スロット位置を表す番号あるいは文字と、プラグインユニットの種類を関連付けて記憶する。
図３（ｃ）は監視制御盤３３のメモリ３８内の接続情報テーブルを表していて、各接続番号３２０毎に、設定するサムロータリスイッチがある光ファイバケーブルの接続元のプラグインユニットの、プラグインユニットの種類（接続元種類３２１）、実装されている装置（キャビネット）の番号（接続元装置番号３２２）、装置（キャビネット）のスロット位置（接続元スロット番号３２３）、そして、光ファイバケーブルの接続先であるプラグインユニットの、プラグインユニットの種類（接続先種類３２４）、実装されている装置（キャビネット）番号（接続先装置番号３２５）、装置（キャビネット）のスロット位置（接続先スロット番号３２６）を、一つの接続の接続情報としている。接続元装置番号３２２は、装置に実装前に監視制御盤３３に、ＤＩＰスイッチ等で設定し、記憶させておく。接続先装置番号は、接続元プラグインユニットのサムロータリスイッチで設定された値が監視制御盤３３に通知されたものである。接続情報テーブルの接続番号１〜１２は、図３（ａ）光ファイバケーブルの配線３４の情報を表わしている。接続番号３２０は、予め定められた番号で、例えば、新規・追加・変更等の際、監視制御盤３３又は監視制御システム３０１により、適宜定めることができる。、プラグインユニットの種類３２１、３２４は、光映像信号分配用光増幅盤２９をＡ、光映像信号冗長切替用光スイッチ分岐盤３０をＢ、光映像信号中継用光増幅盤３１をＣとし、装置（キャビネット）の番号１としている。
図３（ｅ）は監視制御盤３３のメモリ３８内のプラグインユニット管理テーブルを表わしている。装置番号３２７は接続元装置番号３２２と同じもので、装置に実装前に監視制御盤３３に、記憶させておいた値である。各スロット番号３２８に実装されているプラグインユニットの種類３２９と、サービス情報３３０、動作異常警報情報３３１を一つのプラグインユニット管理情報としている。サービス情報３３０は、そのスロットのプラグインユニットがサービス運用中であるかどうかの情報である。これは、後述する監視制御システム３０１にその端末から設定され、監視制御盤３３に通知されたものである。本例では１が運用中、０が非運用を表わす。プラグインユニットの種類３２９と動作異常警報情報３３０は前述したように、各プラグインユニットの監視制御インターフェースから、配線盤３２を介して監視制御盤３３に通知される。本例のテーブルでは１が動作異常警報有、０が動作異常警報無を表わす。
遠隔の監視制御システム３０１の通信制御部３０２は、監視制御盤３３の通信機能部３６と接続されていて、常時又は周期的に、監視制御情報の交信を行い、図３（ｃ）（ｅ）のような、各装置の接続情報テーブルとプラグインユニット管理テーブルを集約して、そのメモリ３０４に記憶する。図３（ｄ）（ｆ）は、集約された接続情報テーブルとプラグインユニット管理テーブル例でそれぞれ図３（ｃ）（ｅ）と同様のフォーマットであり、後述する。集約した各装置の監視制御盤３３のメモリ３８内にある接続情報テーブルとプラグインユニット管理テーブルに変化があった場合は、直ちに、監視制御システム３０１に通知され、メモリ３０４のテーブルを更新する。各装置（キャビネット）の監視制御盤３３の警報処理、ＬＥＤランプ制御部を含むＣＰＵ３７では、光ファイバケーブルの配線情報と、収集した各プラグインユニット２９，３０，３１の動作異常警報を元に、ある警報から波及して発生する２次的な警報のマスク処理（警報の無効化）、障害プラグインユニットの特定を行う。例えば、光映像信号冗長切替用光スイッチ分岐盤３０が故障して光出力が断した場合、監視制御盤３３で収集される警報は、光映像信号冗長切替用光スイッチ分岐盤３０の光スイッチの故障と、その光映像信号冗長切替用光スイッチ分岐盤３０の光出力を入力として、光ファイバケーブルが接続された光映像信号分配用光増幅盤２９のファイバ光増幅器２で検出される光入力断警報である。この２つの警報は、光ファイバケーブルが両プラグインユニット間に接続されているという情報により、警報処理、ＬＥＤ制御部を含むＣＰＵ３７では、原因が光スイッチの故障であることを判定し、２次的な警報である光映像信号分配用光増幅盤２９の光入力断警報をマスク（警報の無効化）して、障害プラグインユニットを、光映像信号冗長切替用光スイッチ分岐盤３０と特定し、障害プラグインユニットのＦＡＩＬランプを、監視制御インタフェースから点灯させる。監視制御システム３０１には、各装置（キャビネット）のプラグインユニット管理情報と接続情報テーブルが通知されているので、光ファイバケーブルの接続が装置（キャビネット）を跨る場合は、その中央演算処理部（ＣＰＵ）３０３で、上述した様な、警報のマスク（警報の無効化）、障害プラグインユニットの特定を行い、該当する装置の監視制御盤３３に通信制御部３０２を介して通知し、特定した障害プラグイニュニットのＦＡＩＬランプを、監視制御インタフェースから点灯させる。
【００１８】
２−２．プラグインユニットの外観
図４は上記で説明した図３（ａ）の光映像信号分配装置の内部と外観を示す一例の図である。このように、装置前面側にプラグインユニットを配線盤４１を背に並べて実装し、プラグインコネクタ４３で接続する。本実施の形態では、プラグインユニットを搭載するスロットの番号を左から１〜１２とし、スロット１，２には光映像信号中継用光増幅盤３１、スロット３，４には光映像信号冗長切替用光スイッチ分岐盤３０、スロット５〜１２には光映像信号分配用光増幅盤２９、スロット１２の右側に監視制御盤３３を実装している。ただ、スロット１〜１２には、適用構成に応じて、上記３種のどのプラグインユニットを、実装してもよい。図ではスロット１，２の光映像信号中継用光増幅盤のプラグインユニットとスロット３の光映像信号冗長切替用光スイッチ分岐盤のプラグインユニットの光ファイバケーブルの接続を示している。この時、スロット３の光映像信号冗長切替用光スイッチ分岐盤のサムロータリースイッチの表示は、装置（キャビネット）番号１として、上側２個は”１””１”下側２個は”１””２”となる。また、スロット３の映像信号冗長切替用光スイッチ分岐盤とスロット５の光映像信号分配用光増幅盤の光ファイバケーブルの接続を示していて、この時、サムロータリースイッチの表示は”１””３””となる。
【００１９】
３．システム（ビルＡ）
図３（ｂ）は、上述した機能ブロック図、図１（ａ），（ｂ），（ｃ）の機能のプラグインユニットを搭載して、図８のビルＡの光映像信号分配装置を構成したシステム構成図である。図３（ａ）の光映像信号分配装置を基本装置４４として、図１（ａ）の機能の光映像信号分配用光増幅盤２９を搭載する光映像信号分配装置を増設装置（キャビネット）４５とする構成である。増設装置（４５に搭載する光映像信号分配用光増幅盤２９は、基本装置４４のスロット５〜１２に搭載された光映像信号分配用光増幅盤の光出力を入力する。
図３（ｄ）の接続情報テーブルの接続番号１〜４８は、監視制御システム３０１が持つ図３（ｂ）の光ファイバケーブルの配線３０６の情報を表わしていて、プラグインユニットの種類は、光映像信号分配用光増幅盤２９をＡ、光映像信号冗長切替用光スイッチ分岐盤３０をＢ、光映像信号中継用光増幅盤３１をＣとし、基本装置の装置番号を１、増設装置の装置番号を２，３，４としている。
図３（ｆ）は、図３（ｂ）の基本装置４４と増設装置４５のプラグインユニット管理テーブルで、各装置のテーブルを集約して、監視制御システム３０１のメモリ３０４内に記憶される。
上述のように、図１０に、監視制御盤３３のメモリ３８の構成図を示す。
また、図１１に、監視制御システム３０１のメモリ３０４の構成図を示す。
図５は基本装置４４と増設装置４５の正面図および監視制御システムとの接続を示すもので、上側の装置が基本装置４４、下側の装置は増設装置４５である。増設装置４４には、光映像信号分配用光増幅盤２９がスロット１〜１２に搭載される。図では、基本装置（キャビネット）４４のスロット５と増設装置（キャビネット）４５のスロット１に搭載された光映像信号分配用光増幅盤２９間の光ファイバケーブルの接続例を図では示していて、増設装置４４のスロット１の光映像信号分配用光増幅盤のサムロータリースイッチの表示番号は”１””５”となる。この接続情報は、増設装置（キャビネット）４５の制御盤３３から遠隔の監視制御システム３０１に伝えられる。例えば、基本装置４４のスロット５の光映像信号分配用光増幅盤２９が、光出力断で故障した時に、下流側の増設装置（キャビネット）４５のスロット１の光映像信号分配用光増幅盤２９のファイバ光増幅器２で光入力断を検出する。この場合、監視制御システム３０１の中央演算処理部（ＣＰＵ）３０３は、増設装置（キャビネット）４５の光映像信号分配用光増幅盤２９が故障として判定されないよう、光入力断警報をマスク（警報の無効化）し、増設装置（キャビネット）４５のスロット１の光映像信号分配用光増幅盤２９で、ＦＡＩＬランプが点灯しないように、増設装置（キャビネット）４５の監視制御盤３３に通信制御部３０２を介して通知する。
上記の光映像信号分配装置によれば、サムロータリスイッチにより光ファイバケーブルの接続情報を、監視制御盤３３および、遠隔の監視制御システム３０１に登録し接続情報テーブルを持つことにより、ユーザ数の変化に対応した任意の構成でプラグインユニット、装置を増設していっても、光ファイバケーブルの接続情報を把握でき、それにより、故障部位の特定を適切にすることが可能となる。
【００２０】
４．接続作業
４−１．新規・追加・変更
監視制御システム３０１に、新規・追加・変更する接続情報を、予め作業テーブルとして登録し、作業時に登録した情報と照合することで、光ファイバケーブルの接続作業の間違いや抜けを防止することができる。これを図６（ａ）のフローチャートを用いて説明する。図６（ａ）のフローチャートは、上記で説明した本実施の形態の光映像信号分配装置で、装置内のプラグインユニット間に接続する光ファイバケーブルの新規接続や、ユーザ収容数の変化による追加変更接続の作業時に、監視制御システム３０１の中央演算処理部３０３の制御フローである。最初にＳ１で、装置の管理者が、遠隔の監視制御システム３０１の端末３０５から、これから、新規または追加変更する光ファイバケーブルの接続情報を、図３（ｃ）（ｄ）で説明した接続情報テーブルと同様の形式で、作業テーブルとして、接続情報テーブルとは別にメモリ３０４に入力登録する。
また、この時、新設あるいは追加増設するプラグインユニットが有る場合、作業者は、装置の設置場所で、それらをキャビネットに予め搭載しておく。監視制御盤３３では、作業者がプラグインユニットを搭載すると、前述したようにプラグインユニット管理テーブルは、更新され、搭載したプラグインユニットのスロット位置、装置番号、種類が追加される。すなわち、予め監視制御盤３３（ＣＰＵ３７）に設定してある装置番号を用いて、また、監視制御盤３３（ＣＰＵ３７）は、各プラグインユニットの監視制御インタフェースから、スロット位置、種類、動作異常警報情報を得て、プラグインユニット管理テーブルにこれらの各情報（装置番号３２７、スロット番号３２８、プラグインユニット種類３２９、動作異常警報情報３３１）を記憶することができる。なお、サービス情報３３０は、常時又は周期的に、監視制御システム３０１から監視制御盤３３に通知されるので、監視制御盤３３は、その情報を記憶することができる。また、前述したように、遠隔の監視制御システム３０１の通信制御部３０２は、監視制御盤３３の通信機能部３６と接続されていて、常時又は周期的に、監視制御情報の交信を行い、図３（ｃ）（ｅ）のような、各装置の接続情報テーブルとプラグインユニット管理テーブルを集約して、例えば図３（ｄ）（ｆ）のように、そのメモリ３０４に記憶する。
監視制御システム３０１の中央演算処理部３０３は、メモリ３０４を参照し、登録した作業テーブルにあるプラグインユニットの種類、スロット位置、装置番号と、プラグインユニット管理テーブルの情報を照合し、一致していることの確認が取れれば、Ｓ２へ進む。異なる場合は、間違っているプラグインユニットのＦａｉｌランプを点滅させるよう監視制御盤３３へ通知し、作業者に知らせ、正しく搭載し直されていなければならない。Ｓ２で、登録した作業テーブル情報に従って、監視制御システム３０１は、最初に接続番号の１の接続する光ファイバケーブルの、入力（接続元）と出力（接続先）の２台のプラグインユニットの装置番号、スロット位置、種類とＡＣＴランプを点滅表示させる指令を該当装置の監視制御盤３３へ通知する。
光ファイバケーブルを接続する作業者は、装置の設置場所で、これによって点滅しているプラグインユニットの光出力コネクタと光入力コネクタ間に光ファイバケーブルを接続する。作業者は、予め全体の作業情報を認識したうえで、接続するコネクタが入力コネクタか出力コネクタかを判断するか、または、監視制御盤３３が、例えば、入力のプラグインユニットと出力のプラグインユニットの点滅周期を変えて、接続するコネクタが、入力コネクタか出力コネクタかを作業者に判断させることができる。光ファイバケーブルを接続後、作業者は、光入力コネクタに光ファイバケーブル接続した接続元プラグインユニットのサムロータリスイッチに、光出力コネクタに光ファイバケーブルを接続した接続先プラグインユニットの、装置番号または文字と、そのスロット番号または文字を設定し、接続元プラグインユニットが搭載されている装置の監視制御部３３にある登録設定ボタン３５を押し下げる。登録設定ボタンを押下げることにより、サムロータリスイッチで設定した接続先と、接続元の、プラグインユニットの種類と実装スロット位置、装置番号情報は、監視制御盤３３と遠隔の監視制御システムに通知３０１され（Ｓ３）、それぞれメモリ３８とメモリ３０４の接続情報テーブルに記憶し、監視制御システム３０１は、Ｓ４に遷移する。監視制御盤３３は、接続元プラグインユニットの監視制御インタフェースから、そこに設定された自プラグインユニットのスロット位置（接続元スロット番号３２３）と種類（接続元種類３２１）、ロータリスイッチで設定された接続先プラグインユニットのスロット位置（接続先スロット番号３２６）と装置番号（接続先装置番号３２５）を受信する。また、監視制御盤３３は、プラグインユニット管理テーブルを参照して、受信した接続元スロット番号と種類に対応する装置番号を検索するか、予め監視制御盤３３に設定されている装置番号を用いて、接続元装置番号３２２を求めることができる。さらに、監視制御盤３３は、プラグインユニット管理テーブルを参照して、接続先スロット番号と装置番号に対応する種類により、接続先種類３２４を求めることができる。監視制御盤３３は、これらの接続番号ｎ＝１の接続情報３２０〜３２６を接続情報テーブルに登録するとともに、遠隔の監視制御システム３０１に送信する。
Ｓ４で監視制御システム３０１は、接続番号に対する、この通知された接続先と、接続元の、プラグインユニットの種類と実装スロット位置、装置番号情報と、作業前に登録済みの光ファイバケーブルの作業テーブルを照合し、一致しなかった場合、設定したサムロータリスイッチが有る接続元プラグインユニットとその接続先プラグインユニットの装置番号、スロット位置、ＦＡＩＬランプの点滅指令を該当の装置の監視制御盤３３に通知し（Ｓ７）、接続先及び接続元プラグインユニットのＦＡＩＬランプを点滅させる。作業者はこの点滅を確認したら、光ファイバケーブル接続の確認とサムロータリスイッチの設定登録を再度行う。登録設定ボタンを押下げにより、前述したように接続先と、接続元の、プラグインユニットの種類と実装スロット位置、装置番号情報は、監視制御盤３３と遠隔の監視制御システム３０１に記憶及び／又は通知されＳ３、Ｓ４で照合が一致した場合は、監視制御システム３０１は、ＡＣＴランプと、再作業の場合のＦＡＩＬランプの点滅を停止させるため、接続先と、接続元の、プラグインユニットの実装スロット位置、装置番号情報とランプ点滅停止指令を該当の監視制御盤３３へ通知する（Ｓ５）。通知後、Ｓ６で監視制御システム３０１は、作業テーブルの接続番号ｎ＝１の登録情報を、接続情報テーブルの末尾に追加し、Ｓ８へ遷移する。接続が追加ではなく変更の場合は、変更箇所に上書きし、Ｓ８へ遷移する。Ｓ８で監視制御システムは、Ｓ１登録された作業テーブルに従い、次の接続番号２の光ファイバケーブル接続作業が、有るかどうかを判定し、有る場合は、次の接続番号である２の、光ファイバケーブルを接続するプラグインユニットのＡＣＴランプを、予め決めておいた一定時間内Ｓ２へ遷移して、点滅表示を監視制御盤３３へ通知する（Ｓ２）。全ての接続番号の光ファイバケーブルの接続が終わるまで以上を繰り返し、一定時間内に、新たな接続を促す点滅が始まらないことを作業者が確認したら、作業者は作業を終了する。本フローチャートに従って作業し完了すれば、登録された接続情報テーブルと、予め接続作業を始める前に遠隔の監視制御システムに登録した作業テーブルの追加変更内容が一致するので、誤った接続や登録を防止することができる。
図６（ｃ）は、図６（ａ）のフローチャートにおける、プラグインユニット、監視制御部、監視制御システム間の処理のやりとりを、シーケンス図にしたものである。シーケンス図で破線で囲った部分が作業者の作業である。これを見ると、作業者は、ＡＣＴランプの点滅に従い、ケーブルを接続し、接続先のスロット番号、装置番号を接続元のプラグインユニットにあるサムロータリスイッチで監視制御部、監視制御システムに通知し、誤っていた場合は、装置側からＦＡＩＬランプの点滅で通知される。これを訂正しつつ、作業者は、ＡＣＴランプの点滅による光ファイバケーブルの接続指示がなくなるまで、作業を行えば良いことが分かる。また、光ファイバケーブルの接続は、装置（キャビネット）間の接続もあるので、監視制御システムから、ＡＣＴランプ，ＦＡＩＬランプの点滅制御を行っている。
【００２１】
４−２．試験
図６（ｂ）は、図６（ａ）に追加するフローチャートで、作業者が、光ファイバケーブルの接続をサムロータリスイッチで登録設定した情報と、実際の光ファイバケーブルの接続が一致しているかを、試験しながら、接続してゆくためのものである。図６（ａ）では、作業者は、Ｓ２とＳ３の間で、光ファイバケーブルを、ＡＣＴランプが点滅しているプラグインユニット間に接続することで、間違った接続が抑止されているが、図６（ｂ）では、光ファイバケーブルの接続を電気的に確認検証する作業を追加して、人為的な接続の誤りを一層無くすようにしたものである。図６（ｂ）のフローチャートは、図６（ａ）Ｓ２とＳ３の間（Ｓ７からの移行の下）に入れる。監視制御システム３０１は、図６（ａ）のＳ２で接続すべきプラグインユニットのＡＣＴランプを点滅させるため、接続先及び接続元のスロット位置、装置番号、を監視制御盤３３へ通知した後、作業者がケーブルを接続するのに要する一定時間経過後に、Ｓ９で、プラグインユニット管理テーブルを参照し、接続元プラグインユニットの、スロット位置と装置番号に基づき、接続元のプラグインユニットの光入力断警報の有無を確認する。尚、接続先のプラグインユニットは、キャビネットに実装された時点で光出力はＯＮ状態になるように監視制御部３３は制御していることにする。Ｓ９で、監視制御システム３０１が、光入力断警報が有ることを確認したら、監視制御システム３０１は、図６（ａ）のＳ７へ遷移して、接続先接続元のプラグインユニットのＦａｉｌランプを点滅させる指令を該当する装置の監視制御部３３へ通知し、作業者に光ファイバケーブルの接続のやり直しを促す。
Ｓ９で監視制御システム３０１が、プラグインユニット管理テーブルをみて、接続元のプラグインユニットの光入力断警報が無いことを確認したら、監視制御システム３０１はＳ１０へ遷移して、プラグインユニット管理テーブルを参照し、接続先プラグインユニットのスロット位置と装置番号に基づき、接続先のプラグインユニットがサービス運用中であるかどうかを確認する。Ｓ１０で、監視制御システムは、接続先プラグインユニットが、運用中で有ることを確認した場合は、Ｓ１５に遷移して、Ｓ７での接続先接続元のＦＡＩＬランプの点滅が有れば、これ停止する指令を該当する監視制御盤３３へ通知して、図６（ａ）びフローチャートのＳ３に遷移し、監視制御盤３３からの接続情報（接続番号ｎの接続先／元の装置番号、スロット番号、プラグインユニット種類）の受信を待つ。運用中で無いことを確認した場合は、監視制御システムは、Ｓ１１に遷移して、接続先のプラグインユニット光出力を停止する指令を、該当する監視制御盤３３に通知する。接続先プラグインユニットが運用中の場合、その光出力は、複数の光出力に分岐されているので、運用中のプラグインユニットの光出力を停止すると、他の運用中の分岐光出力も停止しサービスが中断してしまう。このため、接続先のプラグインユニットに運用中の光出力が有る場合は、Ｓ１１へは遷移せず、Ｓ３に戻るフローとしている。運用中で無い場合、Ｓ１１で光出力を停止させた後、監視制御システム３０１は、Ｓ１２に遷移し、プラグインユニット管理テーブルをみて、接続元プラグインユニットの光入力断の有無を確認する。なお、Ｓ１１で光出力を停止させたので、正常動作では、入力断警報が出力される（「有」となる）。Ｓ１２で監視制御システム３０１が接続先プラグインユニットの入力断警報の無いことを確認したら（異常状態）、監視制御システム３０１は、Ｓ１４に遷移して、接続先プラグインユニットの光出力をＯＮする指令を監視制御盤３３に通知してＳ７へ遷移する。Ｓ１２で監視制御システムが、監視制御システム３０１が、プラグインユニット管理テーブルをみて、接続元プラグインユニットの光入力断警報の有ることを確認したら（正常状態）、監視制御システムは、Ｓ１３に遷移して、接続先プラグインユニットの光出力をＯＮにする指令を監視制御盤３３に通知し、Ｓ７での接続先、接続元のプラグインユニットのＦＡＩＬランプの点滅が有れば、これ停止する指令を監視制御盤３３に通知し、図６（ａ）びフローチャートのＳ３に遷移し、監視制御盤３３からの接続情報（接続番号ｎの接続先／元の装置番号、スロット番号、プラグインユニット種）の受信を待つ。
図６（ｄ）は、図６（ｂ）のフローチャートにおける、プラグインユニット、監視制御部、監視制御システム間の処理のやりとりを、シーケンス図にしたものである。シーケンス図で破線で囲った部分が作業者の作業である。図６（ａ）のフローに図６（ｂ）のフローを追加することにより、作業者は、ケーブルを接続した時点で、作業に誤りがあると、ＦＡＩＬランプの点滅で通知されることになる。誤りがなければ、接続した情報をサムロータリスイッチでプラグインユニットから監視制御盤３３と監視制御システム３０１に通知し（Ｓ３）、通知した時情報が、誤っていた場合は、装置側からＦＡＩＬランプの点滅で通知される。光ファイバケーブルの接続と接続情報の設定に対してそれぞれ確認が行われ、作業の確認訂正をしつつ、作業者は、ＡＣＴランプの点滅による光ファイバケーブルの接続指示がなくなるまで、作業を行う。また、このフローでも、光ファイバケーブルの接続は、装置（キャビネット）間の接続もあるので、監視制御システム３０１から、ＦＡＩＬランプの点滅制御を行っている。
以上の説明では、光ファイバケーブルを光入力コネクタに接続するプラグインユニットの、フロントパネルにサムロータリスイッチを、実装した光映像信号配信装置の構成例と、本例での光ファイバ接続作業の方法について示し、その効果について説明した。図７のフロントパネルは、サムロータリスイッチの代わりにパソコン端末等のインタフェース７１を実装し、パソコン端末から接続情報の設定と設定内容読出しができるようにした場合のものである。この場合においても、サムロータリスイッチの場合と同様の効果が得られる。
【産業上の利用可能性】
【００２２】
本発明は、分配用、冗長用、切替用、中継用等の各種の分配装置に適用することができる。また、本発明は、光映像信号以外にも、各種の光信号に適用することができる。
また、サムロータリスイッチ又はインタフェースは、フロントパネル以外にも、パネルの側面、背面、上面、下面等の適宜の位置に設けられていてもよい。
【符号の説明】
【００２３】
１  光入力コネクタ
２  ファイバ光増幅器
３  光分岐
４  光出力コネクタ
５  監視制御インタフェース部
６  プラグインコネクタ
７  サムロータリスイッチ
８  ＡＣＴランプ
９  ＦＡＩＬランプ
１０  光入力コネクタ
１１  光スイッチ
１２  光分岐
１３  光出力コネクタ
１４  監視制御インタエース部
１５  サムロータリスイッチ
１６  ＡＣＴランプ
１７  ＦＡＩＬランプ
１８  プラグインコネクタ
１９  光入力コネクタ
２０  ファイバ光増幅器
２１  光分岐
２２  光出力コネクタ
２３  監視制御インタエース部
２６  プラグインコネクタ
２７  ＡＣＴランプ
２８  ＦＡＩＬランプ
２９  光映像信号分配用光増幅盤
３０  光映像信号冗長切替用光スイッチ分岐盤
３１  光映像信号中継用光増幅盤
３２  配線盤
３３  監視制御盤
３４  プラグインユニット間の光ファイバケーブルの配線
３５  登録設定ボタン
３６  通信機能部
３７  警報処理、ＬＥＤランプ制御部を含むＣＰＵ
３８  メモリ
３０１  監視制御システム
３０２  通信制御部
３０３  中央演算処理部
３０４  メモリ
３０５  端末
３２０  接続番号
３２１  接続元種類
３２２  接続元装置番号
３２３  接続元スロット番号
３２４  接続先種類
３２５  接続先装置番号
３２６  接続先スロット番号
３２７  装置番号
３２８  スロット番号
３２９  プラグインユニット種類
３３０  サービス情報
４１  配線盤
４３  プラグインコネクタ
４４  基本装置
４５  増設装置
７１  パソコン端末等のインタフェース
【図１（ａ）】
0005427137.tif 000002
【図１（ｂ）】
0005427137.tif 000003
【図１（ｃ）】
0005427137.tif 000004
【図２】
0005427137.tif 000005
【図３（ａ）】
0005427137.tif 000006
【図３（ｂ）】
0005427137.tif 000007
【図３（ｃ）】
0005427137.tif 000008
【図３（ｄ）】
0005427137.tif 000009
【図３（ｅ）】
0005427137.tif 000010
【図３（ｆ）】
0005427137.tif 000011
【図４】
0005427137.tif 000012
【図５】
0005427137.tif 000013
【図６（ａ）】
0005427137.tif 000014
【図６（ｂ）】
0005427137.tif 000015
【図６（ｃ）】
0005427137.tif 000016
【図６（ｄ）】
0005427137.tif 000017
【図７】
0005427137.tif 000018
【図８】
0005427137.tif 000019
【図９】
0005427137.tif 000020
【図１０】
0005427137.tif 000021
【図１１】
0005427137.tif 000022